(57)【要約】【課題】  マイナスイオンを良好に発生させることの可能なマイナスイオンマスクを提供する。【解決手段】  マイナスイオンマスク１は、外層不織布３、内層不織布４及びろ過膜５の少なくともいずれか一つが、マイナスイオンを発生可能なマイナスイオン粉を含む樹脂繊維により形成される。これにより、空気中に含まれる水分または呼吸に含まれる水分が電気分解され、マイナスイオンが発生する。マイナスイオンの作用により、ほこり、花粉、ウィルス又はＰＭ２．５などの人体への影響が緩和される。【選択図】図１
0003183711.tif 000002
【実用新案登録請求の範囲】
【請求項１】
人体の口及び鼻を覆う外層不織布および内層不織布と、
前記外層不織布と前記内層不織布との間に設けられたろ過膜と、
前記外層不織布または前記内層不織布に取り付けられた耳掛け部と、を備え、
前記外層不織布および前記内層不織布の少なくとも一方は、マイナスイオンを発生可能な粉末を含む樹脂繊維により形成されていることを特徴とするマイナスイオンマスク。
【請求項２】
前記ろ過膜は、前記マイナスイオンを発生可能な粉末を含む樹脂繊維により形成されていることを特徴とする請求項１に記載のマイナスイオンマスク。
【請求項３】
前記外層不織布と前記ろ過膜との間、又は前記ろ過膜と前記内層不織布との間に設けられ、前記マイナスイオンを発生可能な粉末を含む樹脂により形成されたノーズブリッジを備えることを特徴とする請求項１または２に記載のマイナスイオンマスク。
【請求項４】
前記マイナスイオンを発生可能な粉末は、トルマリンおよびランタンであることを特徴とする請求項１〜３のいずれか一項に記載のマイナスイオンマスク。
【請求項５】
前記マイナスイオンを発生可能な粉末を含む樹脂繊維は、樹脂基材９９．８〜９０重量％に対し、前記マイナスイオンを発生可能な粉末を０．２〜１０重量％として、合計１００％となるように含むものであることを特徴とする請求項１〜４のいずれか一項に記載のマイナスイオンマスク。
【考案の詳細な説明】
【技術分野】
【０００１】
本考案は、マイナスイオンマスクに関する。
【背景技術】
【０００２】
従来、人体の口および鼻を覆うマスクが知られている。
特許文献１に記載のマスクは、シリコンゴムまたはウレタンゴムからなるシート素材に複数個の微細な通気孔を設けたものである。このマスクは、シート素材にトルマリンまたは長石などを含ませることで、マイナスイオンを発生させる。
【先行技術文献】
【特許文献】
【０００３】
【特許文献１】特開２００４−１４１５０８号公報
【考案の概要】
【考案が解決しようとする課題】
【０００４】
しかしながら、特許文献１に記載のマスクは、シート素材の通気孔のみを通じて空気が出入りし、それ以外の箇所には空気の出入りがないので、マスクから発生するマイナスイオンの量が少ないことが懸念される。
本考案は上記問題に鑑みてなされたものであり、マイナスイオンを良好に発生させることの可能なマイナスイオンマスクを提供することを目的とする。
【課題を解決するための手段】
【０００５】
本考案は、人体の口及び鼻を覆う外層不織布または内層不織布の少なくとも一方が、マイナスイオンを発生可能な粉末（以下、「マイナスイオン粉」という）を含む樹脂繊維により形成されたことを特徴とするマイナスイオンマスクである。
これにより、呼吸に含まれる水分または空気中に含まれる水分が、樹脂繊維に含まれるマイナスイオン粉によって電気分解されマイナスイオンとなる。マイナスイオンの作用により、ほこり、花粉、ウィルス又はＰＭ２．５などの人体への影響が緩和される。さらに、マイナスイオンの作用により、マスクを装着した人に爽快感が感じられ、花粉対策または健康促進などに役立つ。
【図面の簡単な説明】
【０００６】
【図１】本考案の第１実施形態によるマイナスイオンマスクの分解図である。
【図２】本考案の第１実施形態によるマイナスイオンマスクの斜視図である。
【図３】図２のＩＩＩ−ＩＩＩ線の断面図であり、人体に装着した状態を示すものである。
【図４】マイナスイオンマスクに使用する樹脂繊維の製造工程を示すフローチャートである。
【図５】マイナスイオンマスクの発生するマイナスイオンの測定結果である。
【図６】マイナスイオンマスクの発生するマイナスイオンの測定結果である。
【０００７】
以下、本考案による実施形態を図面に基づいて説明する。
（一実施形態）
本考案の一実施形態を図１〜図６に示す。本実施形態のマイナスイオンマスク１は、人体の鼻および口を覆う衛生マスクである。なお、図では、マスク本体２が平面状のものを示しているが、マイナスイオンマスク１はこれに限らず、例えばプリーツ型または立体型などとすることが可能である。
図１〜図３に示すように、マイナスイオンマスク１は、外層不織布３、内層不織布４、ろ過膜５、ノーズブリッジ６および２本の耳掛け部７などを備えている。外層不織布３、内層不織布４およびろ過膜５は、マスク本体２を構成する。
【０００８】
外層不織布３、ろ過膜５及び内層不織布４は、人体の口及び鼻を覆うために適切な大きさである。外層不織布３、ろ過膜５及び内層不織布４は、樹脂繊維から形成され、この順に重ねられて溶着などにより一体に構成される。外層不織布３および内層不織布４の繊維の引張強度は、ろ過膜５の繊維の引張強度よりも高い。これにより、外層不織布３と内層不織布４とは、ろ過膜５を保護する。
ろ過膜５は、外層不織布３と内層不織布４との間に設けられる。ろ過膜５の繊維の隙間は、外層不織布３および内層不織布４の繊維の隙間よりも細かい。そのため、ろ過膜５は、外層不織布３または内層不織布４を通過した細かい異物を捕獲する。
【０００９】
外層不織布３、ろ過膜５及び内層不織布４は、いずれも、マイナスイオン粉を含む樹脂繊維により形成される。マイナスイオン粉は、例えばトルマリンおよびランタンなどの電気的特性を有する鉱物を細かく粉砕したものである。樹脂繊維の基材は、例えばポリプロピレン（ＰＰ）、または、ポリエチレンテレフタレート（ＰＥＴ）などのポリエステルである。
マイナスイオン粉は、樹脂繊維の基材に対し、任意の比率で含ませることが可能である。本実施形態では、基材９９．８〜９０重量％に対し、マイナスイオン粉を０．２〜１０重量％として、合計１００重量％となるように含ませている。これにより、マイナスイオンを発生することが可能になると共に、繊維の引張強度が維持され、マスク装着時における繊維の破れなどを防ぐことが可能である。
【００１０】
マイナスイオン粉のうち、トルマリンおよびランタンは任意の比率で含ませることが可能である。本実施形態では、マイナスイオン粉１００重量％のうち、トルマリン３０〜５０重量％、ランタン７０〜５０重量％としている。
好ましくは、マイナスイオン粉１００重量％のうち、トルマリン３５〜４５重量％、ランタン６５〜５５重量％であり、さらに好ましくは、マイナスイオン粉１００重量％のうち、トルマリン約４０重量％、ランタン約６０重量％である。
【００１１】
ノーズブリッジ６も、マイナスイオン粉を含む樹脂により形成され、外層不織布３とろ過膜５との間、又はろ過膜５と内層不織布４との間に設けられる。ノーズブリッジ６は、可撓性および保形性を有する樹脂であり、折り曲げることで変形し、人体の鼻の形状にフィットする。
ノーズブリッジ６に用いられるマイナスイオン粉も、例えばトルマリンおよびランタンなどである。樹脂の基材は、例えばポリプロピレン、ポリエステル、またはポリエチレン（ＰＥ）である。
マイナスイオン粉は、樹脂の基材に対し、任意の比率で含ませることが可能である。本実施形態では、基材９９．８〜９０重量％に対し、マイナスイオン粉を０．２〜１０重量％として、合計１００重量％となるように含ませている。これにより、マイナスイオンを発生することが可能になると共に、樹脂の可撓性および保形性を維持することができる。
【００１２】
ノーズブリッジ６に用いられるマイナスイオン粉において、トルマリンおよびランタンは任意の比率で含ませることが可能である。本実施形態では、マイナスイオン粉１００重量％のうち、トルマリン３０〜５０重量％、ランタン７０〜５０重量％としている。
好ましくは、マイナスイオン粉１００重量％のうち、トルマリン３５〜４５重量％、ランタン６５〜５５重量％であり、さらに好ましくは、マイナスイオン粉１００重量％のうち、トルマリン約４０重量％、ランタン約６０重量％である。
【００１３】
耳掛け部７は、例えばポリウレタンまたはポリエステルからなる伸縮可能な紐であり、その両端が外層不織布３または内層不織布４の側辺の互いに離れた位置に取り付けられる。なお、耳掛け部７を構成する樹脂繊維にマイナスイオン粉を含ませることも可能である。
外層不織布３、内層不織布４、ろ過膜５および２本の耳掛け部７は、図２の破線部分８を例えば溶着することにより、一体に構成される。
なお、耳掛け部７は、外層不織布３または内層不織布４と同一素材で一体形成することも可能である。
【００１４】
図３は、マイナスイオンマスク１が人１００に装着された状態を示すものである。ノーズブリッジ６は鼻１１０の上に配置され、マスク本体２は鼻１１０と口１２０を覆っている。
この状態で人１００が呼吸をすると、マスク本体２およびノーズブリッジ６の振動、または温度変化によりマイナスイオン粉に生じる電位差が大きくなる。また、ノーズブリッジ６は、その形状の変化によってもマイナスイオン粉に生じる電位差が大きくなる。電位差は、１×１０6ｅＶ程度である。これにより、呼吸に含まれる水分または空気中に含まれる水分がマイナスイオン粉により電気分解されてＯＨ-イオンとなり、このＯＨ-イオンはＨ2Ｏ分子と結合し、マイナスイオンとしてのヒドロキシルイオン（Ｈ3Ｏ2-）が発生する。
【００１５】
次に、マイナスイオンマスク１に使用する樹脂繊維の製造方法について、図４を参照して説明する。
まず、第１準備工程１０で、マイナスイオン粉として、トルマリンとランタンを用意する。
また、第２準備工程１１で、樹脂繊維の基材として、ポリプロピレンまたはポリエステルの樹脂ペレットを用意する。
次に、混合工程１２において、マイナスイオン粉と、樹脂ペレットとを図示しない容器の中で混合する。これにより、続く溶融工程１３において、マイナスイオン粉と樹脂とが均一に混ざりやすくなる。
【００１６】
続いて、溶融工程１３において、マイナスイオン粉と樹脂ペレットとを混合したものを容器の中で加熱し、溶融樹脂とする。その溶融樹脂を攪拌し、マイナスイオン粉と樹脂とを均一に混ぜ合わせる。
次に、糸形成工程１４において、溶融樹脂を糸状にして容器から噴出させ、糸を形成する。
続いて、圧搾工程１５において、糸を圧搾することにより樹脂繊維を形成する。これにより、マイナスイオン粉を含有する不織布が完成する。この不織布を使用して外層不織布３、内装不織布およびろ過膜５を形成する（１６）。
マイナスイオンマスク１は、上述した製造方法により形成された外層不織布３、ろ過膜５および内装不織布を重ねて溶着し、その両側辺に２本の耳掛け部７を溶着して完成する。
【００１７】  次に、本実施形態のマイナスイオンマスク１が発生するマイナスイオンの測定結果について、図５及び図６を参照して説明する。  図５及び図６では、マイナスイオンマスク１を（公序良俗違反につき、不掲載）と称している。  図５は、３分間の実験によるマイナスイオンの発生個数とプラスイオンの発生個数とを測定したグラフである。  図５のグラフでは、プラスイオンの発生個数を波線Ａに示し、マイナスイオンの発生個数を波線Ｂに示している。マイナスイオンマスク１は、プラスイオンの発生個数よりもマイナスイオンの発生個数の方が多い。波線Ａの平均が２１５個／ｃｃであり、波線Ｂの平均が１５９６個／ｃｃである。【００１８】
図６は、図５による測定結果を表にまとめたものである。マイナスイオンマスク１によるが発生するマイナスイオンの個数は平均で１５９６個／ｃｃであり、プラスイオンの個数は平均で２１５個／ｃｃである。マイナスイオンマスク１は、プラスイオンに対して７．４倍以上のマイナスイオンを発生させる。
【００１９】
本実施形態では、次の作用効果を奏する。
（１）本実施形態のマイナスイオンマスク１は、外層不織布３、内層不織布４及びろ過膜５が、マイナスイオン粉を含む樹脂繊維により形成されている。
マイナスイオンマスク１を使用すると、マスク本体２などの振動又は温度変化により、空気中に含まれる水分または人１００の呼吸に含まれる水分がマイナスイオン粉により電気分解されてマイナスイオンとなる。マイナスイオンの作用により、ほこり、花粉、ウィルス又はＰＭ２．５などの人体への影響が緩和される。さらに、マイナスイオンの作用により、マスクを装着した人１０に爽快感が感じられ、花粉対策または健康促進などに役立つ。
【００２０】
（２）マイナスイオンマスク１は、マイナスイオン粉を含む樹脂により形成されたノーズブリッジ６を備える。
これにより、ノーズブリッジ６に圧力が作用すると、マイナスイオン粉によるマイナスイオンの発生量が増加する。また、ノーズブリッジ６は人１００の鼻１１０の上に配置されるので、爽快感を強く感じさせることが可能である。
【００２１】
（３）マイナスイオンマスク１に用いられるマイナスイオン粉は、トルマリンおよびランタンである。
トルマリンが空気中の水分を電気分解し、ＯＨ-イオンを発生させ、そのＯＨ-イオンがＨ2Ｏ分子と結合し、ヒドロキシルイオン（Ｈ3Ｏ2-）となる。ランタンは、水素を吸着するとともに、トルマリンの電気分解作用を促進させることが可能である。
【００２２】
（４）マイナスイオンマスク１に使用する樹脂繊維の製造方法は、マイナスイオン粉と樹脂基材とを加熱、溶融して糸を形成し、その糸を圧搾することにより樹脂繊維を形成する。
これにより、樹脂繊維にマイナスイオン粉を含ませることが可能になるので、マイナスイオン粉が空気に触れる面積が増加する。または、樹脂を介したマイナスイオン粉と空気との距離が短くなる。したがって、マイナスイオンマスク１は、マイナスイオンを大量に発生させることができる。
【００２３】
（他の実施形態）
（１）上述した実施形態では、衛生マスクに適用したマイナスイオンマスクについて説明した。これに対し、他の実施形態では、マイナスイオンマスクは、産業用マスク、医療用マスク、家庭用マスク、ガーゼマスクとすることが可能である。
（２）上述した実施形態では、外層不織布、内層不織布、ろ過膜およびノーズブリッジの全てがマイナスイオン粉を含むものとした。これに対し、他の実施形態では、マイナスイオンマスクは、外層不織布、内層不織布、ろ過膜またはノーズブリッジの少なくともいずれか一つがマイナスイオン粉を含むものとしてもよい。
（３）上述した実施形態では、マイナスイオン粉として、トルマリンおよびランタンを用いた。これに対し、他の実施形態では、マイナスイオン粉は、酸化ホウ素、二酸化ケイ素、酸化鉄、酸化アルミニウム、酸化カルシウム、酸化マグネシウム、酸化カリウム、酸化ナトリウム、酸化リチウム、酸化チタン、ガーネット、ジルコニウム、バリウム、セリウム、ネオジウム、又はこれらの混合物など、種々の材料を用いることができる。
（４）このように、本考案は、上記実施形態に限定されるものではなく、考案の趣旨を逸脱しない範囲において、種々の形態で実施することができる。
【符号の説明】
【００２４】
１・・・マイナスイオンマスク
２・・・マスク本体
３・・・外層不織布
４・・・内層不織布
５・・・ろ過膜
６・・・ノーズブリッジ
７・・・耳掛け部
【図１】
0003183711.tif 000003
【図２】
0003183711.tif 000004
【図３】
0003183711.tif 000005
【図４】
0003183711.tif 000006
【図５】
0003183711.tif 000007
【図６】
0003183711.tif 000008
【手続補正書】
【提出日】平成25年3月25日(2013.3.25)
【手続補正１】
【補正対象書類名】明細書
【補正対象項目名】００１７
【補正方法】変更
【補正の内容】
【００１７】
次に、本実施形態のマイナスイオンマスク１が発生するマイナスイオンの測定結果について、図５及び図６を参照して説明する。
図５は、３分間の実験によるマイナスイオンの発生個数とプラスイオンの発生個数とを測定したグラフである。
図５のグラフでは、プラスイオンの発生個数を波線Ａに示し、マイナスイオンの発生個数を波線Ｂに示している。マイナスイオンマスク１は、プラスイオンの発生個数よりもマイナスイオンの発生個数の方が多い。波線Ａの平均が２１５個／ｃｃであり、波線Ｂの平均が１５９６個／ｃｃである。
【手続補正２】
【補正対象書類名】図面
【補正対象項目名】図５
【補正方法】変更
【補正の内容】
【図５】
0003183711.tif 000009
【手続補正３】
【補正対象書類名】図面
【補正対象項目名】図６
【補正方法】変更
【補正の内容】
【図６】
0003183711.tif 000010